(57)【要約】【課題】  断路器の点検を、発電主回路の現状態を確実に維持し、停電などを起こさずに安全に行うことができるようにする断路器におけるスイッチの開閉状態を維持するロック手段を提供する。【解決手段】  架台（１０）と、該架台（１０）に載置されたスイッチ（２０）と、前記架台（１０）の脚部（１１）に設けられ前記スイッチ（２０）の開閉動作を行うスイッチ駆動装置（３０）と、該スイッチ駆動装置（３０）の動作を前記スイッチ（２０）に伝達する伝達機構（４０）とを有する断路器（１）におけるスイッチ（２０）の開閉状態を維持するロック手段（７０）であって、前記伝達機構（４０）のリンク部（４３）の駆動側アーム（４５）と架台（１０）のチャンネルベース部材（４１）とを連結して伝達機構（４０）と架台（１０）との位置関係を固定する。【選択図】    図７
2006040736.tif 000002
【特許請求の範囲】
【請求項１】
架台（１０）と、該架台（１０）に載置されたスイッチ（２０）と、前記架台（１０）の脚部（１１）に設けられ前記スイッチ（２０）の開閉動作を行うスイッチ駆動装置（３０）と、該スイッチ駆動装置（３０）の動作を前記スイッチ（２０）に伝達する伝達機構（４０）とを有する断路器（１）におけるスイッチ（２０）の開閉状態を維持するロック手段（７０）であって、
前記伝達機構（４０）の一部（４５）と架台（１０）とを連結して伝達機構（４０）と架台（１０）との位置関係を固定する、
ことを特徴とする断路器におけるスイッチの開閉状態を維持するロック手段。
【請求項２】
ロック手段（７０）は、架台（１０）の一部（４１）に固定される固定プレート（７１）と該固定プレート（７１）に対して角度自在に支持された保持プレート（７２）とから成り、
前記固定プレート（７１）を前記架台（１０）の一部（４１）に固定し、
前記伝達機構（４０）の一部であるリンク部（４３）のアーム（４５）を前記保持プレート（７２）で保持し、
前記固定プレート（７１）と前記保持プレート（７２）とを任意の開き角で固定することにより前記アーム（４５）を架台（１０）に対して固定した、
ことを特徴とする請求項１に記載した断路器におけるスイッチの開閉状態を維持するロック手段。
【請求項３】
前記固定プレート（７１）を架台（１０）の一部（４１）に着脱自在に取着した、
ことを特徴とする請求項１又は請求項２に記載した断路器におけるスイッチの開閉状態を維持するロック手段。
【請求項４】
前記保持プレート（７２）は、該保持プレート（７２）の先端縁から直交方向に延出された押さえ壁（７７）と、リンク部（４３）のアーム（４５）を押さえ壁（７７）側に押圧するスライダ（７８）とを有し、保持プレート（７２）に長手方向に伸びる長孔（７９）を形成して、前記スライダ（７８）を前記長孔（７９）に摺動自在に支持し、該スライダ（７８）をスライドさせてリンク部（４３）のアーム（４５）を挟持するようにした、
ことを特徴とする請求項２又は請求項３に記載した断路器におけるスイッチの開閉状態を維持するロック手段。
【発明の詳細な説明】
【技術分野】
【０００１】
本発明は、たとえば、断路器におけるスイッチ駆動装置の点検を行うときに用い、スイッチの開閉状態を維持するロック手段に関する。詳しくは、断路器におけるスイッチ駆動装置の点検を行う際に各ラインスイッチの開閉状態を確実に維持することができるロック手段に関するものである。
【背景技術】
【０００２】
電力所には通常複数の断路器が備えられ、各断路器にうち、あるものは「閉状態」に、また、あるものは「開状態」にされて、発電主回路の所定の通電状態が維持されている。
このような断路器は、その性能の維持を図るとともに事故の原因となる不良個所の早期発見に勤めるべく定期点検が行なわれる。
断路器の点検に関して、例えば、以下に示す、特許文献１がある。
【特許文献１】特開平８−９６６６７号
【発明の開示】
【発明が解決しようとする課題】
【０００３】
上記特許文献１に記載されたものは、断路器におけるブレードのヒンジ接続部の点検を行うものであるが、その点検においては、先ず、パイプ母線を持ち上げてブレードから離間させてヒンジ接続部を開放する。すなわち、当該断路器は「開状態」にされ、この状態でヒンジ接続部の点検が行われる。
ところで、断路器を「開状態」とすることは、発電主回路を断線することであり、需要家にとっては停電を余儀なくされるという問題がある。
また、断路器は両端に可動接触子を備えたブレードをスイッチ駆動装置により回動させて発電主回路を開閉するが、ブレードのスイッチ駆動装置を点検する場合にあっても、ブレードのスイッチ駆動装置を駆動させて点検を行うため、特許文献１におけるヒンジ接続部の点検と同様に停電を伴うのが一般的であり、点検の度に需要家は停電を強いられることになる。
【０００４】
そこで、ブレードを回動させるリンク機構と前記スイッチ駆動装置とを切り離した状態にして、スイッチ駆動装置の点検を行おうとすると、スイッチ駆動装置から切り離されたブレードがフリーな状態になってしまい、何かの拍子に回動して開状態から閉状態へ、或いは閉状態から開状態に回動してしまう虞がある。ブレードがスイッチ駆動装置の点検時において勝手に回動してしまうと、発電主回路の現状態が変更してしまい、停電を誘発してしまうという問題がある。
【０００５】
本発明は、かかる課題を解決するために創案されたものである。すなわち、本発明の目的は、断路器の点検を、発電主回路の現状態を確実に維持し、停電などを起こさずに安全に行うことができるようにする断路器におけるスイッチの開閉状態を維持するロック手段を提供することにある。
【課題を解決するための手段】
【０００６】
上記課題を解決するため、請求項１の発明は、架台（１０）と、該架台（１０）に載置されたスイッチ（２０）と、前記架台（１０）の脚部（１１）に設けられ前記スイッチ（２０）の開閉動作を行うスイッチ駆動装置（３０）と、該スイッチ駆動装置（３０）の動作を前記スイッチ（２０）に伝達する伝達機構（４０）とを有する断路器（１）におけるスイッチ（２０）の開閉状態を維持するロック手段（７０）であって、前記伝達機構（４０）の一部と架台（１０）とを連結して伝達機構（４０）と架台（１０）との位置関係を固定する、ことを特徴とする。
請求項２の発明は、ロック手段（７０）は、架台（１０）の一部（４１）に固定される固定プレート（７１）と該固定プレート（７１）に対して角度自在に支持された保持プレート（７２）とから成り、前記固定プレート（７１）を前記架台（１０）の一部に固定し、前記伝達機構（４０）の一部であるリンク部（４３）のアーム（４５）を前記保持プレート（７２）で保持し、前記固定プレート（７１）と前記保持プレート（７２）とを任意の開き角で固定することにより前記アーム（４５）を架台（１０）に対して固定した、ことを特徴とする。
請求項３の発明は、前記固定プレート（７１）を架台（１０）の一部（４１）に着脱自在に取着した、ことを特徴とする。
請求項４の発明は、前記保持プレート（７２）は、該保持プレート（７２）の先端縁から直交方向に延出された押さえ壁（７７）と、リンク部（４３）のアーム（４５）を押さえ壁（７７）側に押圧するスライダ（７８）とを有し、保持プレート（７２）に長手方向に伸びる長孔（７９）を形成して、前記スライダ（７８）を前記長孔（７９）に摺動自在に支持し、該スライダ（７８）をスライドさせてリンク部（４３）のアーム（４５）を挟持するようにした、ことを特徴とする。
【発明の効果】
【０００７】
請求項１の発明によれば、たとえば、スイッチ駆動装置の点検時のように、伝達機構とスイッチ駆動装置との連結を解除した場合でも、固定具により伝達機構を不動にすることができ、予期せぬ原因によって誤ってスイッチの開閉状態が切り替わることがなく、よって、スイッチ駆動装置の点検を停電させることなく行うことができる。
請求項２の発明によれば、固定プレートに対して角度自在に支持された保持プレートにより、アームを固定したので、アームの架台に対する角度が異なった状態でも、すなわち、スイッチが開放状態でも閉塞状態でもその状態を維持することができる。
請求項３の発明によれば、固定プレートが架台に対して着脱できるので、架台に対するロック手段の取り付け位置を移動することができ、アームと架台との位置関係が任意な状態でも固定することができ、各種の断路器に当該ロック手段を用いることができ、ロック手段の汎用性を向上させることができる。
請求項４の発明によれば、リンク部のアームの幅が相違する断路器であっても使用することができ、当該ロック手段を汎用性あるものにすることができる。
【発明を実施するための最良の形態】
【０００８】
断路器の点検において、停電を伴わず、かつ、安全に行うという目的を、簡単な機構で実現した。
【実施例１】
【０００９】
スイッチの開閉状態のロック手段を説明する前に断路器１の構造について説明する。なお、ここで示す断路器は三相の水平二点切り型断路器を例に挙げて説明する。
断路器１は、架台１０と、架台１０上に設けられた３つのスイッチ２０、２０、…と、各スイッチ２０の開閉動作を行うスイッチ駆動装置３０と、スイッチ駆動装置３０の動作をスイッチ２０に伝達する伝達機構４０と、３つのスイッチ２０、２０、…を連動させる平行リンク機構５０などから成る（図１参照）。
【００１０】
架台１０は、鉄塔からなる２つの脚部１１、１１とこれら２つの脚部１１、１１の上端を掛け渡すベース部１２とから成る（図１参照）。
【００１１】
３つのスイッチ２０、２０、…は架台１０のベース部１２上にこのベース部１２が伸びる方向に適宜離間して並設され、ラインスイッチＬＳを構成する（図１、図２参照）。
これら３つのスイッチ２０、２０、…はともにほぼ同じ構造をしている。
３つのスイッチ２０、２０、…は平行リンク機構５０により連結されていて互いに同期して開閉動作を行うようになっている（図１、図２参照）。
各スイッチ２０は、ベース部１２上に立設された２つの固定ガイシ柱２１、２１と２つの固定ガイシ柱２１、２１の中間に配置され、ベース部１２に対して回転自在に立設された回転ガイシ柱２２とを備える。これらガイシ柱２１、２１、２２は３つのスイッチ２０、２０、…の配列方向と直交する方向に並設されている。
固定ガイシ柱２１、２１の上端の固定側接触部２３、２３には、たとえば、その一方に母線（図示は省略する。）が接続され、他方に送電線（図示は省略する。）が接続される。
【００１２】
回転ガイシ柱２２はベース部１２に対してスラストベアリング（図示は省略する。）を介して設けられ、回転ガイシ柱２２がスムーズに回動できるようになっている（図１〜図３参照）。
回転ガイシ柱２２の上端に可動子としてのブレード２４が固設されており、ブレード２４の両端はスイッチの可動側接触部２５、２５となっていて、回転ガイシ柱２２が回動したときに、これに伴いブレード２４が水平方向に回動し、ブレード２４の両端の可動側接触部２５、２５が固定ガイシ柱２１、２１の固定側接触部２３、２３に対して離接するようになっている。
【００１３】
スイッチ駆動装置３０は、モータ（図示は省略する。）と、該モータの回転を減速する減速機（図示は省略する。）と、減速機の回転を外部に出力する出力軸３１とを備え、モータ及び減速機がケース体３２に収納され、出力軸３１がケース体３２の上面から外部に露出されている（図３参照）。
出力軸３１はモータの回転より駆動され、中心角でほぼ７０度の回動をするようになっている。
このようなスイッチ駆動装置３０はそのケース体３２が架台１０の脚部１１の下部側面に設けられている。
【００１４】
伝達機構４０は、３つのスイッチ２０、２０、…のうちの一端のスイッチ２０よりも外側に位置され、ベース部１２の一部を成すチャンネルベース部材４１に回転自在に設けられた支持軸４２と、該支持軸４２と上記一端のスイッチ２０の回転ガイシ柱２２の下端とを連結するリンク部４３と、スイッチ駆動装置３０の出力軸３１と上記支持軸４２とを連結する操作ロッド４４などから成る（図１、図４、図５参照）。
チャンネルベース部材４１は、ベース部１２上であって上記一端のスイッチ２０の各ガイシ柱２１、２１、２２の配列方向に伸びるように設けられている。なお、このチャンネルベース部材４１は請求項２及び請求項３に記載した「架台１０の一部４１」に相当する。
支持軸４２はチャンネルベース部材４１を上下方向に貫通し、上記一端のスイッチ２０の回転ガイシ柱２２の近傍に設けられている。
リンク部４３は、支持軸４２のチャンネルベース部材４１の上側に突出された部位に固設された駆動側アーム４５と、駆動側アーム４５の回動端に回動自在に支持された連動アーム４６と、回転ガイシ柱２２の下端に固設され連動アーム４６の駆動側アーム４５と反対側の端部に回転自在に支持された操作アーム４７とからなる。なお、上記駆動側アーム４５は、請求項１に記載した「伝達機構４０の一部４５」に、かつ、請求項２及び請求項３に記載した「リンク部４３のアーム４５」に相当する。
支持軸４２はチャンネルベース部材４１を上下方向に貫通し、上記一端のスイッチ２０の回転ガイシ柱２２の近傍に設けられている。
操作ロッド４４は、その下端がスイッチ駆動装置３０のケース体３２の上面に突出された出力軸３１に着脱自在に支持され、また、その上端が上記支持軸４２のチャンネルベース部材４１の下側に突出した部位に着脱自在に連結されている。また、操作ロッド４４の上端と支持軸４２との連結はロックピンなどによりなされ、ロックピンを外すことにより容易に離脱することができるようになっている。
【００１５】
平行リンク機構５０は、３つのスイッチ２０、２０、…の各回転ガイシ柱２２、２２、…の下端に固設された連結レバー５１、５１、…と各連結レバーを連結する２本の平行リンク５２、５２とから成る（図１参照）。
連結レバー５１は、１本のリンク状で、その中心が回転ガイシ柱２２の回転軸を中心に一致し、互いに反対方向に伸びた両端部に小孔５１ａ、５１ａが形成されている。
平行リンクは各連結レバー５１、５１、…の同じ側の小孔５１ａを連結するように設けられている。これにより一端のスイッチ２０の回転ガイシ柱２２が回動されると、他のスイッチ２０、２０の回転ガイシ柱２２、２２も同じ方向に回動するようになっている。
【００１６】
しかして、断路器１の各スイッチ２０、２０、…の開閉動作は次のようにして行われる。
先ず、スイッチ駆動装置３０を駆動すると、その出力軸３１が操作ロッド４４を回動させる。操作ロッド４４の回動は支持軸４２に伝達され、リンク部４３を操作し、一端のスイッチ２０の回転ガイシ柱２２を回動させる。回転ガイシ柱２２の回動により、その先端部に取着されたブレード２４が回動し、上述のように、スイッチ２０の開閉が行われる（図４、図５参照）。
また、リンク部４３が操作されることにより、一端のスイッチ２０の回転ガイシ柱２２の下端に固設された連結レバー５１を回動させ、これに伴い、平行リンク機構５０が操作されて他のスイッチ２０、２０の回転ガイシ柱２２を回動させることになり、各スイッチ２０、２０の開閉がなされる。
【００１７】
次に、スイッチ駆動装置３０の点検を行う場合について説明する。
スイッチ駆動装置３０の点検前の作業として操作ロッド４４を取り外す。このとき、作業員は断路器１の充電部の近傍において作業しなければならず、感電事故を防止するために、防護傘６０を用いる。防護傘６０は絶縁材料からなる平板６１と絶縁材料からなる把持棒６２とからなる。そして、断路器１の充電部（ベース部１２の直下）において作業を行うときに作業者は上記防護傘６０を持って頭上にその平板６１が位置させる（図６参照）。これにより、作業者の身体と充電部との間に絶縁部材（防護傘６０）を配することができ、作業者の安全を確保することができる。なお、ベース部１２の直下の位置において作業者が作業を継続する場合には、ベース部１２に上記防護傘６０を取着してもよい。
【００１８】
続いて、ロック手段７０を、チャンネルベース部材４１と伝達機構４０のリンク部４３とに取着して両者の位置関係を固定する。なお、図７は開放状態のスイッチ２０におけるリンク部４３を固定したものを示し、図８は閉塞状態のスイッチ２０におけるリンク部４３を固定したものを示す。
ロック手段７０は、チャンネルベース部材４１に固定される固定プレート７１と該固定プレート７１に対して角度自在に支持されかつ伝達機構２０のリンク部４３を保持する保持プレート７２とを有する（図７、図８参照）。
【００１９】
固定プレート７１には、固定プレート７１の先端縁から直交方向に延出された押さえ壁７３と、チャンネルベース部材４１を押さえ壁７３側に押圧する止めネジ７４と、押さえ壁７３と平行に設けられ止めネジ７４が螺合された支持壁７５とを有する。支持壁７５から反押さえ壁７３側に寄った位置には固定プレート７１の長手方向に伸びる長孔７６が形成されており、該長孔７６には保持プレート７２の一端が回転自在、かつ、摺動自在に支持されている（図９、図１０参照）。
保持プレート７２は、保持プレート７２の先端縁から直交方向に延出された押さえ壁７７と、リンク部４３の駆動側アーム４５を押さえ壁７７側に押圧するスライダ７８とを有する。保持プレート７２の中央部に長手方向に伸びる長孔７９が形成されており、また、スライダ７８の一方の面にボルト部７８ａが固着されており、該ボルト部７８ａが上記長孔７９を貫通し、保持プレート７２のスライダ７８とは反対側に突出したボルト部７８ａにナット８０、８０が螺合されている（図１１、図１２参照）。
また、保持プレート７２の押さえ壁７７が形成された側と反対側の端部には小孔８１が形成されており、該小孔８１と上記固定プレート７１の長孔７６とにボルトを挿通し、該ボルトにナットを螺合することにより、固定プレート７１と保持プレート７２とを固定する。そして、固定プレート７１と保持プレート７２とを取着しているボルト＆ナットを緩めることにより保持プレート７２は固定プレート７１に対して回動自在でかつ摺動自在に支持される。
【００２０】
しかして、ロック手段７０により、伝達機構４０のリンク部４３とチャンネルベース部材４１との位置関係を固定するには、先ず、ロック手段７０の固定プレート７１をチャンネルベース部材４１に固定し、次に、保持プレート７２によりリンク部４３の駆動側アーム４５を保持することにより行う。
具体的には、固定プレート７１の押さえ壁７３と止めネジ７４との間にチャンネルベース部材４１を位置させ、止めネジ７４をネジ込むことにより、チャンネルベース部材４１に固定プレート７１を固定する。
次に、固定プレート７１と保持プレート７２とを連結しているボルト＆ナットは緩めた状態にする。
さらに、保持プレート７２の押さえ壁７７とスライダ７８との間にリンク部４３の駆動側アーム４５を位置させ、スライダ７８の先端を駆動側アーム４５の側面に押さえつけ、その状態を保持しつつスライダ７８のボルト部７８ａに螺合したナット８０、８０を締め付ける。これにより、スライダ７８に対して駆動側アーム４５を固定する。
最後に、固定プレート７１と保持プレート７２とを連結しているボルト＆ナットは締め付けることにより両者をロックし、伝達機構４０のリンク部４３とチャンネルベース部材４１との位置関係の固定が完了する。
なお、スイッチ２０の開放状態と閉塞状態とでは、ロック手段７０の位置がリンク機構４０に対して右側か左側で相違する。これは、駆動側アーム４５のチャンネルベース部材４１に対する向きが相違するためであり、保持プレート７２で駆動側アーム４５を保持するのに良好な位置に固定プレート７１を配置させればよい。
【００２１】
このような伝達機構４０のリンク部４３とチャンネルベース部材４１との位置関係の固定は、上述のように、保持プレート７２を固定プレート７１に対して回動自在でかつ摺動自在に支持しているため、チャンネルベース部材４１に対する駆動側アーム４５の角度がどのような状態であっても為すことができ、したがって、スイッチ２０が開放状態及び閉塞状態のいずれであっても、行うことができる。
また、止めネジ７４と押さえ壁７３との間でチャンネルベース部材４１を挟持して、固定プレート７１をチャンネルベース部材４１に固定するため、止めネジ７４の長さを長く、かつ、押さえ壁７３と支持壁７５との間隔を広めにしておけば、チャンネルベース部材４１の幅が相違する断路器１であっても対応させることができる。
さらに、スライダ７８を保持プレート７２に支持するのに保持プレート７２に形成した長孔７９にナット部７８ａを挿入するようにしたので、駆動側アーム４５の幅が相違する断路器１であっても対応させることができる。
【００２２】
しかして、スイッチ駆動装置３０の点検時に、操作ロッド４４を取り外しても、ロック手段７０を用いることにより、予期せぬ原因によって、誤ってスイッチ２０のブレード２４が動いてしまうことがなく、各スイッチ２０の状態（主回路の状態）を維持したままで点検を行うことができ、したがって、停電を伴うことなくスイッチ駆動装置３０の点検を安全に行うことができる。
【００２３】
なお、上記実施例１おいては、ロック手段７０として固定プレート７１と該固定プレート７１に対して、回動自在でかつ摺動自在に保持プレート７２を支持した構造のものについて説明したが、本発明はこれに限らず、架台１０と伝達機構４０の一部（駆動側アーム４５）とを連結して伝達機構４０が動かないようにするようにすればよい。たとえば、次のようなものが考えられる。
１．架台のチャンネルベース部材４１及び駆動側アーム４５にそれぞれ小孔を形成し、駆動側アーム４５がチャンネルベース部材４１に対して所定の角度になっており、上記両小孔が一致した状態において、１つのピン部材を両小孔に貫通することにより伝達機構４０を動かさないようにすることができる。
２．架台のチャンネルベース部材４１及び駆動側アーム４５にそれぞれ小孔を形成するとともに、両端にピン部材をそれぞれ備えたロックプレートを用意し、駆動側アーム４５とチャンネルベース部材４１とが所定の開き角度になっている状態において、上記ロックプレートのピン部材を各別にチャンネルベース部材４１の小孔及び駆動側アーム４５の小孔に貫通させることにより伝達機構４０を動かさないようにすることができる。
また、この実施例１においては、固定プレート７１はチャンネルベース部材４１に着脱自在に支持したものについて説明したが、本発明はこれに限らず、固定プレート７１があらかじめチャンネルベース部材４１に固定されているものであってもよい。
この実施例１においては、駆動側アーム４５を保持プレート７２で保持するようにしたが、本発明はこれに限らず、保持プレート７２で連動アーム４６又は操作アーム４７を保持するようにしてもよい。要は、保持プレート７２でいずれかのアーム４５、４６又は４７を保持することによりリンク部４３が動かなくなるようにすればよい。
【産業上の利用可能性】
【００２４】
３つのスイッチを有した断路器に限らず、１つ或いは複数のスイッチを有する断路器のスイッチの開閉状態を維持するロック手段に適用することができる。
【図面の簡単な説明】
【００２５】
【図１】断路器の全体構成を示す斜視図である。
【図２】断路器の概略構成を示す平面図である。
【図３】断路器の概略構成を示す側面図である。
【図４】図５とともにリンク部を拡大して示す平面図であり、本図はスイッチの開放状態を示すものである。
【図５】スイッチの閉塞状態を示すものである。
【図６】防護傘の斜視図である。
【図７】図８とともにロック手段によりリンク部を固定した状態を示す平面図であり、本図はスイッチを開放状態でロックしたものである。
【図８】スイッチを閉塞状態でロックしたものである。
【図９】図１０とともにロック手段のうちの固定プレートを拡大して示すもので、本図は平面図である。
【図１０】側面図である。
【図１１】図１２とともにロック手段のうちの保持プレートを拡大して示すもので、本図は平面図である。
【図１２】側面図である。
【符号の説明】
【００２６】
１  断路器
１０  架台
１１  脚部
１２  ベース部
２０  スイッチ
２１  固定ガイシ柱
２２  回転ガイシ柱
２３  固定接触部
２４  ブレード
２５  可動側接触部
３０  スイッチ駆動装置
３１  出力軸
３２  ケース体
４０  伝達機構
４１  チャンネルベース部材
４２  支持軸
４３  リンク部
４４  操作ロッド
４５  駆動側アーム
４６  連動アーム
４７  操作アーム
５０  平行リンク機構
５１  連結レバー
６０  防護傘
６１  平板
６２  把持棒
７０  ロック手段
７１  固定プレート
７２  保持プレート
７３  押さえ壁
７４  止めネジ
７５  支持壁
７６  長孔
７７  押さえ壁
７８  スライダ
７８ａ  ボルト部
７９  長孔
８０  ナット
８１  小孔
【図１】
2006040736.tif 000003
【図２】
2006040736.tif 000004
【図３】
2006040736.tif 000005
【図４】
2006040736.tif 000006
【図５】
2006040736.tif 000007
【図６】
2006040736.tif 000008
【図７】
2006040736.tif 000009
【図８】
2006040736.tif 000010
【図９】
2006040736.tif 000011
【図１０】
2006040736.tif 000012
【図１１】
2006040736.tif 000013
【図１２】
2006040736.tif 000014